(57)【要約】【課題】  病室の扉を常時施錠状態にしても、看護師や医師等の関係者は煩わしい解錠操作することなく入室することができ、また見舞者も容易に入室できるナースコールシステムを提供する。【解決手段】  病室の扉１１に電気錠１２を設け、電気錠１２を解錠するための無線発信機１０を看護師や医師、更には見舞者に携行させた。無線発信機１０から発信されるＩＤ情報を受信するＩＤ受信部１８を廊下灯２に設けると共に、患者情報、看護師・医師ＩＤ情報を廊下灯２に記憶させ、看護師等が無線発信機１０を廊下灯に翳すことで、廊下灯２がＩＤ照合を行い電気錠１２の解錠制御を行うようにした。見舞者に対しては無線発信機１０を組み込んだ入室カード１０ａを発行する発券機９を設置した。【選択図】  図１
2008245787.tif 000002
【特許請求の範囲】
【請求項１】
患者が看護師を呼び出すためにベッド毎に設置されたナースコール子機と、病室前に設置されて前記ナースコール子機からの呼び出しを表示する廊下灯と、患者からの呼び出しに応答するためにナースステーションに設置されたナースコール親機と、システムを制御する制御機と、入院患者の氏名、性別、担当看護師、病室等の患者情報を記憶する患者情報記憶部と、看護師、医師等の認証情報を記憶するＩＤ情報記憶部と、を備えたナースコールシステムにおいて、
病室の扉に設けた電気錠と、
ＩＤ情報を無線発信する携帯可能な無線発信機と、
前記廊下灯或いはその近傍に前記電気錠と対を成すように配置され、翳された前記無線発信機の発信ＩＤ情報を読み取るＩＤ受信手段と、
前記ＩＤ受信手段が読み取ったＩＤ情報を認証し、前記電気錠の解錠／施錠を制御するＩＤ認証手段とを有し、
前記ＩＤ認証手段は、ＩＤ受信手段が無線発信機から読み取ったＩＤ情報が、前記ＩＤ情報記憶部のＩＤ情報に一致、或いは対応する病室の患者情報に関連付けられた情報である場合に電気錠解錠信号を発することを特徴とするナースコールシステム。
【請求項２】
前記無線発信機の発信するＩＤ情報に看護師ＩＤが含まれ、認証した看護師ＩＤ情報は、解錠した病室情報、認証時刻情報と共に記憶する看護情報記録部を備えたことを特徴とする請求項１記載のナースコールシステム。
【請求項３】
見舞者に対して無線発信機を具備した入室カードを発券する発券機を備え、
前記発券機は、見舞先を入力する操作部と、入院患者情報を前記患者情報記憶部の情報に基づいて記憶する入院情報記憶部と、発券する無線発信機にＩＤ情報を書き込むＩＤ発行部と、入室カードの発券を制御する発券制御部とを有し、
前記発券制御部は、入力された見舞先情報に基づいて患者に関連付けられているＩＤ情報を前記入室カードに書き込んで発行する制御を行うことを特徴とする請求項１又は２記載のナースコールシステム。
【請求項４】
前記ＩＤ認証手段は、前記ナースコール子機からスタッフコール等の緊急を要する呼び出しが成されたら、前記電気錠の解錠を保持することを特徴とする請求項１乃至３の何れかに記載のナースコールシステム。
【発明の詳細な説明】
【技術分野】
【０００１】
本発明は入院患者が看護師を呼び出すためのナースコールシステムに関し、特に病室に設けた錠を管理するナースコールシステムに関する。
【背景技術】
【０００２】
ナースコールシステムは、患者がナースコール子機を操作することにより、ナースステーションに設置されたナースコール親機から呼出報知がなされ、応答した看護師と患者の間で通話をすることができるよう構成されている。こうして呼び出しを受けた看護師は、患者の病室に赴いて必要な処置を行った。そのため、病室の扉は看護師等がスムーズに入室し易いように、また見舞者が見舞いやすいように錠が設けられていなかった。
一方で、例えば特許文献１にあるように特定の病室に対して部外者の入室ができないように電気錠を取り付け、指紋認証により解錠を可能としたナースコールシステムがある。
【特許文献１】特開２００４−２０１１１４号公報（段落００３３）
【発明の開示】
【発明が解決しようとする課題】
【０００３】
病院のセキュリティを考えた場合、上記特許文献１にあるように病室の扉に錠を設けて施錠するのが好ましい。しかし、扉に錠を付けて常時施錠状態にすると、看護師が治療などを行う場合にいちいち錠を開ける作業が加わるし、緊急を要する場合には解錠状態を維持させたい。更に、見舞者に対しても、その都度鍵を渡すなどの手間が必要となってしまう。
【０００４】
そこで、本発明はこのような問題点に鑑み、病室の扉を常時施錠状態にしても、看護師や医師等の関係者は煩わしい解錠操作することなく入室することができ、また見舞者も容易に入室できるナースコールシステムを提供することを目的とする。
【課題を解決するための手段】
【０００５】
上記課題を解決する為に、請求項１に記載の発明は、患者が看護師を呼び出すためにベッド毎に設置されたナースコール子機と、患者からの呼び出しに応答するためにナースステーションに設置されたナースコール親機と、病室前に設置されてナースコール子機からの呼び出しを表示する廊下灯と、システムを制御する制御機と、入院患者の氏名、性別、担当看護師、病室等の患者情報を記憶する患者情報記憶部と、看護師、医師等の認証情報を記憶するＩＤ情報記憶部と、を備えたナースコールシステムにおいて、病室の扉に設けた電気錠と、ＩＤ情報を無線発信する携帯可能な無線発信機と、廊下灯或いはその近傍に電気錠と対を成すように配置され、翳された無線発信機の発信ＩＤ情報を読み取るＩＤ受信手段と、ＩＤ受信手段が読み取ったＩＤ情報を認証し、電気錠の解錠／施錠を制御するＩＤ認証手段とを有し、ＩＤ認証手段は、ＩＤ受信手段が無線発信機から読み取ったＩＤ情報が、ＩＤ情報記憶部のＩＤ情報に一致、或いは対応する病室の患者情報に関連付けられた情報である場合に電気錠解錠信号を発することを特徴とする。
【０００６】
この構成によれば、電気錠は、ＩＤ受信手段に無線発信機を翳すだけで、換言すれば無線発信機を携行している看護師等がＩＤ受信手段に近づくだけでけ解錠させることができる。よって、扉に錠を設けても別途解錠操作を必要とせず、入室操作に時間がかかったり面倒になることがない。また、ＩＤ情報記憶部に登録された医師や看護師である場合や病室内の患者に関連付けられたＩＤ情報である場合に電気錠が解錠されるので、看護師や見舞者等の患者の関係者のみ解錠できるよう設定でき、セキュリティを向上できる。更に、電気錠の解錠の為のＩＤ情報は登録されている医師や看護師のＩＤ情報を使用するため別途電気錠の為のＩＤ情報を設定して記憶させる必要がない。
【０００７】
請求項２の発明は、請求項１に記載の発明において、無線発信機の発信するＩＤ情報に看護師ＩＤが含まれ、認証した看護師ＩＤ情報は、解錠した病室情報、認証時刻情報と共に記憶する看護情報記録部を備えたことを特徴とする。
この構成によれば、看護師の入室回数や入室時刻等の情報を保持するので、患者の看護記録を作成する際に活用できる。
【０００８】
請求項３の発明は、請求項１又は２に記載の発明において、見舞者に対して無線発信機を具備した入室カードを発券する発券機を備え、発券機は、見舞先を入力する操作部と、入院患者情報を患者情報記憶部の情報に基づいて記憶する入院情報記憶部と、発券する無線発信機にＩＤ情報を書き込むＩＤ発行部と、入室カードの発券を制御する発券制御部とを有し、発券制御部は、入力された見舞先情報に基づいて患者に関連付けられているＩＤ情報を入室カードに書き込んで発行する制御を行うことを特徴とする。
この構成によれば、病室を施錠しても見舞者は発行された入室カードを使用することで容易に解錠して入室することができる。そのため、看護師が見舞者のために時間を取られることがない。また、無線発信機をカード形状とすることで扱いやすい。
【０００９】
請求項４の発明は、請求項１乃至３の何れかに記載の発明において、ＩＤ認証手段は、ナースコール子機からスタッフコール等の緊急を要する呼び出しが成されたら、電気錠の解錠を保持することを特徴とする。
この構成によれば、緊急時や非常時に電気錠は解錠状態を維持するので、電気錠を設けたことにより緊急時の対応に時間がかかるようなことがない。
【発明の効果】
【００１０】
本発明によれば、電気錠は、ＩＤ受信手段に無線発信機を翳すだけで、換言すれば無線発信機を携行している看護師等がＩＤ受信手段に近づくだけでけ解錠させることができる。よって、扉に錠を設けても別途解錠操作を必要とせず、入室操作に時間がかかったり面倒になることがない。また、ＩＤ情報記憶部に登録された医師や看護師である場合や病室内の患者に関連付けられたＩＤ情報である場合に電気錠が解錠されるので、看護師や見舞者等の患者の関係者のみ解錠できるよう設定でき、セキュリティを向上できる。更に、電気錠の解錠の為のＩＤ情報は登録されている医師や看護師のＩＤ情報を使用するため別途電気錠の為のＩＤ情報を設定して記憶させる必要がない
【発明を実施するための最良の形態】
【００１１】
以下、本発明を具体化した実施の形態を、図面に基づいて詳細に説明する。図１は本発明に係るナースコールシステムの一例を示す構成図であり、１は患者が看護師を呼び出すためにベッド毎に設置されたナースコール子機、２は病室前に設置されてナースコール子機１からの呼び出しを表示する廊下灯、３は患者からの呼び出しに応答するためにナースステーションに設置されたナースコール親機、４はシステムを制御する制御機、５は呼び出しに応答するために看護師が携行する携帯型親機、６は携帯型親機５と通信する基地局、７は携帯型親機５と基地局６との通信を管理する交換機、８は患者情報や医師・看護師情報等を記憶しているナースコールサーバ、９は見舞者に対して病室へ入室するための無線発信機１０が組み込まれた入室カード１０ａを発券する発券機、１２は病室の扉１１に設けられた電気錠である。
【００１２】
ナースコール子機１は、ベッド近傍の壁面に設置され、看護師と通話するためのマイク及びスピーカ、看護師が応援を必要する場合に操作するスタッフコールボタン（図示せず）を備えたプレート子機１ａと、このプレート子機１ａに接続され、患者が横になった状態で呼出操作できる呼出握りボタン１ｂとで構成されている。
【００１３】
廊下灯２は図２の回路ブロック図に示すように構成されている。即ち、患者情報を表示するＬＣＤから成る表示部（以下、廊下灯ＬＣＤとする）１５、ＬＣＤコントローラ１６、病室内の患者の患者情報を記憶している患者情報記憶部１７、無線発信機１０からＩＤ情報を読み取るＩＤ受信部１８、患者からの呼び出しが成されたらそれを点滅報知する表示灯１９、医師・看護師等のＩＤ情報を記憶するＩＤ情報記憶部２０、廊下灯２の各部を制御すると共にＩＤ照合を行うＣＰＵを備えた廊下灯制御部２１、制御機４、ナースコール子機１、そして電気錠１２と通信するための廊下灯インターフェイス（廊下灯ＩＦ）２２とから構成されている。
【００１４】
この廊下灯２の患者情報記憶部１７は、夫々の廊下灯２が設置されている病室内のベッドに関連付けられている（入院している）患者の患者情報（名前、性別、年齢、救護区分、感染症情報等）を記憶している。また、ＩＤ情報記憶部２０には、看護師、医師、配膳業者等の病院関係者ＩＤ情報が記憶されている。
【００１５】
ナースコール親機３は図３の回路ブロック図に示すように構成されている。即ち、患者に関する種々の情報を表示するＬＣＤから成る表示部（以下、親機ＬＣＤとする）２５、ＬＣＤコントローラ２６、入院患者全ての氏名、年齢、診療科目、救護区分、感染情報、外泊／外出、担当看護師等の患者関連情報を記憶する患者情報記憶部２７、後述する看護情報を記録する看護情報記録部２８、患者からの呼び出しを報音するスピーカ及び患者と通話するためのハンドセットを備えた通話部２９、看護師ＩＤや医師ＩＤ等のＩＤ情報等のＩＤ情報を記憶するＩＤ情報記憶部３０、ナースコール親機３の各部を制御するＣＰＵを備えた親機制御部３１、制御機４と通信するための親機インターフェイス（親機ＩＦ）３２とから構成されている。
【００１６】
発券機９は図４の回路ブロック図に示すように構成されている。即ち、操作画面を表示するＬＣＤから成る表示部（以下、発券機ＬＣＤとする）３５、発券する入室カード１０ａの無線発信機１０にＩＤを発行する（ＩＤ情報を発信して記憶させる）ＩＤ発行部３６、入院患者情報を記憶する入院情報記憶部３７、入室カード１０ａを発券する発券部３８、発券機ＬＣＤ３５上に設けられたタッチパネルから成る操作部３９、発券機９の各部を制御するＣＰＵを備えた発券機制御部４０、ナースコール親機３と通信するための発券機インターフェイス（発券機ＩＦ）４１等で構成されている。
【００１７】
入室カード１０ａに組み込まれている無線発信機１０は、ＲＦＩＤ（Radio Frequency IDentification）技術を適用したＲＦタグであり、ＩＣチップと、ＩＣチップに書き込むＩＤ情報を受信したり、記憶しているＩＤ情報を発信するためのアンテナから構成されている。見舞者に対しては、発券機９により患者ＩＤ情報が入室カード１０ａ内の無線発信機１０に記憶されて発券され、この無線発信機１０を廊下灯２のＩＤ受信部１８に例えば数１０センチの距離に近づけることで、無線発信機１０の発信するＩＤ情報がＩＤ受信部１８が受信して読み込まれる。
一方、医師・看護師等病院関係者に対して発行される無線発信機１０（を組み込んだ入室カード１０ａ）は、別途設置されているＩＤ発行装置（図示せず）により、各携行者のＩＤ情報がナースコール親機３のＩＤ情報記憶部３０から入手されて書き込まれる。
【００１８】
また、ナースコール親機３の患者情報記憶部２７、ＩＤ情報記憶部３０には、ナースコールサーバ８から適時情報が送信され、最新の情報が記憶された状態にあり、廊下灯２及び発券機９にはナースコール親機３から適宜患者情報等が送信される。詳しくは、廊下灯２の患者情報記憶部１７には、個々の廊下灯２が関連付けられている病室の患者情報が送信され、ＩＤ情報記憶部２０には看護師、医師のＩＤ情報が送信されて記憶される。また、発券機９の入院情報記憶部３７には、患者情報のうちの患者氏名及び患者ＩＤ、病室番号、ベッド番号情報等が送信され記憶される。
【００１９】
このように構成されたナースコールシステムについて、以下、動作を説明する。但し、ナースコール子機１で患者が看護師を呼び出した場合にナースコール親機３または携帯型親機５で応答する動作、また廊下灯２の表示灯１９が呼び出しを検知して点滅する動作については、従来と同様なので説明を省略し、本発明の要部である電気錠解錠動作に関して説明する。最初に、看護師や医師が無線発信機１０を携行している場合を説明する。
【００２０】
例えばＡ号室の患者Ｂがナースコール子機１を操作して看護師を呼び出すと、ナースコール親機３及び患者Ｂを担当する看護師が携行する携帯型親機５に呼び出しが通知される。それに応答した看護師が、必要な処置をするためにＡ号室に来た際に、病室の出入口付近（扉付近）に設置されている廊下灯２のＩＤ受信部１８に、看護師が携行している無線発信機１０を翳すことで、ＩＤ認証がなされてＡ号室の扉１１は解錠される。
【００２１】
具体的に、無線発信機１０をＩＤ受信部１８に翳すことで、無線発信機１０のＲＦタグから廊下灯２のＩＤ受信部１８に看護師ＩＤを含むＩＤ情報が送信される。このＩＤ情報を受けて、廊下灯制御部２１でＩＤ情報の照合が行われ、ＩＤ情報記憶部２０に記憶されたＩＤ情報に一致するかを確認する。この照合で読み取ったＩＤ情報が認証ができた場合には、廊下灯制御部２１から電気錠解錠信号が送信されて電気錠が解錠される。こうして、看護師は入室でき患者Ｂに対して必要な処置を行うことができる。
【００２２】
また、このとき受信した看護師ＩＤ情報は、ナースコール親機３に送信されて看護情報記録部２８に記録される。このとき、ナースコール子機１を操作した患者の患者情報、無線発信機１０からＩＤ情報を受信した日時情報とが関連付けられて記録される。
【００２３】
但し、ナースコール子機１に設けられているスタッフコールボタンが入室した看護師により操作された場合には、廊下灯制御部２１は解錠操作した電気錠１２を施錠させずに解錠状態を維持させる。また、火災の発生等の緊急時の場合には、ナースコール親機３の操作で全電気錠１２を解錠制御でき、復旧操作が成されるまで解錠状態を維持する。
【００２４】
このように、電気錠は、ＩＤ受信部に無線発信機を翳すだけで、換言すれば無線発信機を携行している看護師等がＩＤ受信手段に近づくだけでけ解錠動作するので、扉に錠を設けても別途解錠操作を必要とせず、入室操作に時間がかかったり面倒になることがない。また、ＩＤ情報記憶部に登録された医師や看護師である場合や病室内の患者に関連付けられたＩＤ情報である場合に電気錠が解錠されるので、担当看護師や見舞者等の患者の関係者のみ解錠するよう設定でき、セキュリティ性を向上できる。更に、電気錠の解錠の為のＩＤ情報は登録されている医師や看護師のＩＤ情報を使用するため別途電気錠の為のＩＤ情報記憶部を設ける必要がない。
また、看護師の入室回数や入室時刻等の記録を保持するので、患者の看護記録を作成する際に活用できる。
更に、スタッフコールを行った病室は解錠状態が維持されるので、緊急時に電気錠が邪魔になるようなことがないし、この状態はスタッフコールの復旧操作が行われるまで維持されるので、電気錠を設けたことにより緊急時の対応に時間がかかるようなことがない。
【００２５】
尚、看護師や医師が携行する無線発信機１０は、カード形状でなくても良く、ＲＦタグ自体を携帯型親機５に貼着して一体化しても良い。この場合は、携帯型親機をＩＤ受信機に翳せば良い。また、無線発信機１０とＩＤ受信部１８の通信可能距離を例えば１メートルと十分採れるよう構成すれば、無線発信機１０をポケットに入れた状態でもＩＤ受信部１８はＩＤ情報を受信可能なため、翳す行為も必要無くなる。
そして、この解錠動作は医師や配膳担当者等の病院関係者の場合も同様であり、関係者個人のＩＤを登録することで、個々の関係者が自身のＩＤを記憶している無線発信機１０を入室時に翳して認証を受けることで解錠されて入室できる。
【００２６】
更に、各廊下灯２，２・・のＩＤ情報記憶部２０に医師、看護師のＩＤ情報を記憶させる構成としているが、医師、看護師のＩＤ情報は、ナースコール親機３のみに記憶させ、廊下灯２が必要な時に参照操作するようにしても良い。また、ナースコールサーバ８や制御機４に記憶させて参照操作するよう構成しても良い。
また、ＩＤ受信部１８を廊下灯２に組み込んでいるが、廊下灯２とは分離して無線発信部１０を翳しやすい胸元の位置に別途設置しても良い。
【００２７】
見舞者に対して電気錠は次のように解錠制御する。見舞者は、ナースコール親機３に接続され、病院のロビー等に設置されている発券機９を操作して電気錠１２を解錠するための入室カード１０ａを入手する。
具体的に、発券機９の操作部３９を操作して患者の名前等を入力する。この入力操作により発券機制御部４０は入院情報記憶部３７を参照して見舞先の病室を特定する。この特定動作により、見舞先の患者の病室番号等が発券機ＬＣＤ３５に表示される。この表示を見た見舞者により操作部３９の決定ボタンが押されたら、所定期間（例えば、当日の見舞可能時間帯まで）有効な入室カード１０ａが発券部３８から発行される。このとき発行される入室カード１０ａには、見舞先の患者ＩＤ或いは患者に関連したＩＤ情報がＩＤ発行部３６から発行されて記憶される。
【００２８】
こうして発券された入室カード１０ａを持って、目的の病室の廊下灯２（のＩＤ受信部１８）に翳されると、ＩＤ受信部１８が入室カード１０ａからＩＤ情報を受信し、廊下灯制御部２１が患者情報記憶部１７の情報と照合する。この照合により対応する病室の患者に一致するＩＤ情報の患者がいたら電気錠解錠信号を出力し、電気錠１２は解錠される。但し、発券機９は、入室カード１０ａを発行する際に見舞者の住所、氏名の入力を必要とするよう構成されている。この情報は、ナースコール親機３やナースコールサーバ８に記録され、見舞者に関する情報が保存される。
尚、入室カード１０ａに記憶されるＩＤ情報は見舞者専用のＩＤ情報としてもよく、この場合は廊下灯２のＩＤ情報記憶部２０に廊下灯２毎に異なる見舞者用ＩＤ情報を記憶させればよい。
【００２９】
このように、病室を施錠しても見舞者は発券された無線発信機を使用することで容易に入室することができ、看護師が見舞者のために時間を取られることがない。また、発券時に見舞者情報を記録することで、不審者の侵入を防ぐのに効果を奏する。
【００３０】
尚、上記実施形態は、見舞者には入室カード１０ａを発行する際に、顔写真を撮像して録画したり、発券の際に指紋情報を合わせて記録させても良く、こうすることでセキュリティを更に高めることが可能となる。
更に、ＩＤ照合がシステム異常などにより不可能となった場合に備えて、廊下灯２の特殊操作により解錠できるようにしてもよい。例えば、復旧ボタンの長押しなどが考えられる。これにより、患者への対応が不十分になることがない。
【図面の簡単な説明】
【００３１】
【図１】本発明に係るナースコールシステムの実施形態の一例を示す構成図である。
【図２】廊下灯の回路ブロック図である。
【図３】ナースコール親機の回路ブロック図である。
【図４】発券機の回路ブロック図である。
【符号の説明】
【００３２】
１・・ナースコール子機、２・・廊下灯、３・・ナースコール親機、３・・制御機、５・・携帯型親機、８・・ナースコールサーバ、９・・発券機、１０・・無線発信機、１０ａ・・入室カード、１１・・扉、１２・・電気錠、１５・・廊下灯ＬＣＤ、１７・・患者情報記憶部、１８・・ＩＤ受信部（ＩＤ受信手段）、２０・・ＩＤ情報記憶部、２１・・廊下灯制御部（ＩＤ認証手段）、２５・・親機ＬＣＤ、２７・・患者情報記憶部、２８・・看護情報記録部、３０・・ＩＤ情報記憶部、３１・・親機制御部、３６・・ＩＤ発行部、３７・・入院情報記憶部、３９・・操作部、４０・・発券機制御部（発券制御手段）。
【図１】
2008245787.tif 000003
【図２】
2008245787.tif 000004
【図３】
2008245787.tif 000005
【図４】
2008245787.tif 000006